(57)【要約】      （修正有）【課題】左眼映像及び右眼映像を明確に分離して鮮明な立体映像を表示できる表示装置を提供する。【解決手段】ブラック映像を各々含む左眼映像及び右眼映像を順次に表示する表示パネルと、前記表示パネルの両面に形成された第１偏光フィルム及び第２偏光フィルムと、前記第１偏光フィルム又は第２偏光フィルムの外側に配置されて前記左眼映像及び前記右眼映像が互いに異なる偏光方向を有するように変更する偏光パネル１００と、を含む。【選択図】図３
2010049256.tif 000002
【特許請求の範囲】
【請求項１】
ブラック映像を各々含む左眼映像及び右眼映像を順次に表示する表示パネルと、
前記表示パネルの外側に配置されて前記左眼映像及び前記右眼映像が互いに異なる偏光方向を有するように変更する偏光パネルと、を備えることを特徴とする表示装置。
【請求項２】
前記左眼映像及び前記右眼映像は、フレーム単位で偏光方向が変更され、一フレーム内に視認可能な映像が表示される表示区間と前記ブラック映像が表示される非表示区間とをすべて含むことを特徴とする請求項１に記載の表示装置。
【請求項３】
前記表示パネルは、
下部表示板と、
前記下部表示板に対向して配置される上部表示板と、
前記下部表示板及び前記上部表示板の外側に各々配置された第１偏光フィルム及び第２偏光フィルムと、を含むことを特徴とする請求項２に記載の表示装置。
【請求項４】
前記表示パネルは、前記左眼映像及び前記右眼映像が表示される複数の画素、及び前記画素を制御するスイッチング素子を更に含み、
前記スイッチング素子は、一フレームのあいだ２回スイッチング動作することを特徴とする請求項３に記載の表示装置。
【請求項５】
前記偏光パネルは、
第１スイッチング基板と、
前記第１スイッチング基板に対向する第２スイッチング基板と、
前記第１スイッチング基板と前記第２スイッチング基板との間に介在する液晶層と、を含むことを特徴とする請求項１に記載の表示装置。
【請求項６】
前記偏光パネルは、前記左眼映像及び前記右眼映像を交互に変更することを特徴とする請求項１に記載の表示装置。
【請求項７】
前記偏光パネルを通過した前記左眼映像及び前記右眼映像は、位相差が９０°であることを特徴とする請求項６に記載の表示装置。
【請求項８】
前記偏光パネルは、複数の領域に分割されたスイッチング面を含み、該各スイッチング面は各々独立的に作動することを特徴とする請求項１に記載の表示装置。
【請求項９】
前記表示パネルに交差して形成されたゲート線及びデータ線を更に含み、
前記スイッチング面は、前記ゲート線に沿って分割され、前記データ線に沿って順次に前記左眼映像及び前記右眼映像の偏光方向を変更することを特徴とする請求項８に記載の表示装置。
【請求項１０】
前記表示パネルに交差して形成されたゲート線及びデータ線を更に含み、
前記スイッチング面は、上記ゲート線に沿って分割され、
前記左眼映像及び前記右眼映像は、スイッチング面単位で偏光方向が変更され、一フレーム内に視認可能な映像が表示される表示区間及び前記ブラック映像が表示される非表示区間をすべて含み、前記スイッチング面の数をｎ個とするとき、前記表示区間と前記非表示区間との比はｎ−１：１であることを特徴とする請求項８に記載の表示装置。
【発明の詳細な説明】
【技術分野】
【０００１】
本発明は、表示装置に関し、より詳細には、左眼映像及び右眼映像を明確に分離して鮮明な立体映像を表示できる表示装置に関するものである。
【背景技術】
【０００２】
現代社会が高度に情報化されて行くにつれ、表示装置は大型化及び薄型化に対する市場の要求に直面しており、従来のＣＲＴ装置ではこのような要求を充分に満足させることができなかったため、ＰＤＰ（Ｐｌａｓｍａ  Ｄｉｓｐｌａｙ  Ｐａｎｅｌ）装置、ＰＡＬＣ（Ｐｌａｓｍａ  Ａｄｄｒｅｓｓ  Ｌｉｑｕｉｄ  Ｃｒｙｓｔａｌ  ｄｉｓｐｌａｙ  ｐａｎｅｌ）装置、ＬＣＤ（Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置などで代表されるフラットパネル表示装置に対する需要が爆発的に増えている。
【０００３】
最近では表示装置の画質が実写に近いほど向上しており、二次元映像はもちろん三次元映像を表示できる表示装置が開発されている。このような三次元映像を表示する表示装置は二つの目が認識する視角差によって立体感を認識できるようにする装置である。
【０００４】
三次元立体映像を実現する方法としては、立体用特殊メガネを利用するかホログラムを利用する方式があり、レンティキュラ（ｌｅｎｔｉｃｕｌａｒ）シート、偏光スイッチングパネル、又はバリアー（ｂａｒｒｉｅｒ）などを利用する方式がある。
【０００５】
特に、偏光スイッチングパネルを利用して立体映像を実現する方式は、表示パネル上に偏光スイッチングパネルを別途に取り付けて左眼映像及び右眼映像を分離する。このとき、左眼映像及び右眼映像が明確に分離されず、一定の時間のあいだ互いに重なると表示装置は明確な立体映像を表示することができない。従って、左眼映像及び右眼映像が明確に分離できる構造及び方法が必要である。
【先行技術文献】
【特許文献】
【０００６】
【特許文献１】特開２００５−２２９５６０号公報
【発明の概要】
【発明が解決しようとする課題】
【０００７】
本発明は、上記従来技術に鑑みてなされたものであって、本発明の目的は、左眼映像及び右眼映像を明確に分離して鮮明な立体映像を表示できる表示装置を提供することにある。
【課題を解決するための手段】
【０００８】
上記目的を達成するためになされた本発明の一特徴による表示装置は、ブラック映像を各々含む左眼映像及び右眼映像を順次に表示する表示パネルと、前記表示パネルの両面に形成された第１偏光フィルム及び第２偏光フィルムと、前記第１偏光フィルム又は第２偏光フィルムの外側に配置されて前記左眼映像及び前記右眼映像が互いに異なる偏光方向を有するように変更する偏光パネルと、を含む。
【０００９】
前記左眼映像及び前記右眼映像は、フレーム単位で偏光方向が変更され、一フレーム内に視認可能な映像が表示される表示区間と前記ブラック映像が表示される非表示区間とをすべて含み得る。
【００１０】
前記表示パネルは、前記左眼映像及び前記右眼映像が表示される複数の画素、及び前記画素を制御するスイッチング素子を更に含み、前記スイッチング素子は、一フレームのあいだ２回スイッチング動作することができる。
【００１１】
前記偏光パネルは、第１スイッチング基板と、前記第１スイッチング基板に対向する第２スイッチング基板と、前記第１スイッチング基板と前記第２スイッチング基板との間に介在する液晶層と、を含み得る。
【００１２】
前記偏光パネルは、前記左眼映像及び前記右眼映像を交互に変更することができる。
【００１３】
前記偏光パネルを通過した前記左眼映像及び前記右眼映像は、位相差が９０°であり得る。
【００１４】
前記偏光パネルは、複数の領域に分割されたスイッチング面を含み、該各スイッチング面は、各々独立に作動することができる。
【００１５】
前記表示パネルに交差して形成されたゲート線及びデータ線を更に含み、前記スイッチング面は、前記ゲート線に沿って分割することができる。
【００１６】
前記スイッチング面は、前記データ線に沿って順次に前記左眼映像及び前記右眼映像の偏光方向を変更することができる。
【００１７】
前記左眼映像及び前記右眼映像は、スイッチング面単位で偏光方向が変更され、一フレーム内に視認可能な映像が表示される表示区間及び前記ブラック映像が表示される非表示区間をすべて含み、前記スイッチング面の数をｎ個とするとき、前記表示区間と前記非表示区間との比はｎ−１：１であり得る。
【００１８】
その他の実施形態による具体的な特徴は詳細な説明及び図面に記載されている。
【発明の効果】
【００１９】
本発明の表示装置によれば、左眼映像及び右眼映像を明確に分離して鮮明な立体映像を表示することができる。
【図面の簡単な説明】
【００２０】
【図１】本発明の一実施形態による表示装置の分解斜視図である。
【図２】図１に示す表示装置の作動過程を説明するための概略分解斜視図である。
【図３】図１に示す表示装置によって立体映像を認識する過程を説明するための概略斜視図である。
【図４】図１に示す表示装置によって立体映像を認識する過程を説明するための概略斜視図である。
【図５】図１に示す表示装置の駆動を説明するための概略ブロック図である。
【図６】図１に示す表示装置に印加される映像信号のブロック図である。
【図７】図１に示す表示装置に印加される信号の信号波形図である。
【図８】本発明の他の実施形態による表示装置に含まれる偏光パネルの斜視図である。
【図９】図８に示す偏光パネルに対応して表示パネルが左眼映像及び右眼映像を表示する過程を説明するための表示装置の平面図である。
【図１０】図８に示す偏光パネルに対応して表示パネルが左眼映像及び右眼映像を表示する過程を説明するための表示装置の平面図である。
【図１１】図８に示す偏光パネルに対応して表示パネルが左眼映像及び右眼映像を表示する過程を説明するための表示装置の平面図である。
【図１２】図８に示す偏光パネルに対応して表示パネルが左眼映像及び右眼映像を表示する過程を説明するための表示装置の平面図である。
【図１３】本発明のまた他の表示装置に印加される信号の信号波形図である。
【発明を実施するための形態】
【００２１】
本発明の利点、特徴、及びそれらを達成する方法は、図面と共に詳細に後述する実施形態を参照すると明確になるであろう。しかし、本発明は、以下で開示する実施形態に限定されるものではなく、異なる多様な形態で具現することが可能である。本実施形態は、単に本発明の開示が完全になるように、本発明が属する技術分野で通常の知識を有する者に対して発明の範疇を完全に知らしめるために提供されるものである。なお、明細書全体にかけて、同一の参照符号は同一の構成要素を指すものとする。
【００２２】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは、図面に示しているように、一つの素子又は構成要素と異なる素子又は構成要素との相関関係を容易に記述するために使用されてもよい。空間的に相対的な用語は、図面に示している方向に加えて、使用時又は動作時における素子の互いに異なる方向を含む用語として理解されなければならない。
【００２３】
以下、本発明の表示装置を実施するための形態を、図面を参照しながら詳細に説明する。
【００２４】
先ず、図１及び図２を参照して本発明の一実施形態による表示装置を詳細に説明する。図１は、本発明の一実施形態による液晶表示装置の分解斜視図であり、図２は、図１に示す表示装置の作動過程を説明するための概略分解斜視図である。
【００２５】
本発明の一実施形態による表示装置１は、バックライトユニット４００、表示パネル３００、及び偏光パネル１００を含む。
【００２６】
バックライトユニット４００は、光源を含み、表示パネル３００に光を提供する役割を果たす。このようなバックライトユニット４００は、表示パネル３００に光を提供するために必要に応じて各種光学部材を含む。例えば、直下型バックライトユニットは光源の上に拡散板と各種光学シートを含み、エッジ型バックライトユニットは導光板の側面に光源が配置されて導光板上部に光学シートを配置する構造となる。
【００２７】
光源は、冷陰極蛍光ランプ（ｃｏｌｄ  ｃａｔｈｏｄｅ  ｆｌｕｏｒｅｓｃｅｎｔ  ｌｉｇｈｔ：ＣＣＦＬ）又は発光ダイオード（ｌｉｇｈｔ  ｅｍｉｔｔｉｎｇ  ｄｉｏｄｅ：ＬＥＤ）などを含み得る。
【００２８】
このようなバックライトユニット４００の上部には表示パネル３００が配置される。表示パネル３００は、映像を表示する役割を果たすものであって、左眼映像及び右眼映像を順次に表示する。左眼映像及び右眼映像は、一フレーム又は一フレームより短い時間のあいだ持続することができ、左眼映像及び右眼映像各々にはブラック映像が介在している。表示パネル３００に表示される映像及び映像信号については具体的に後述する。
【００２９】
表示パネル３００は、薄膜トランジスタアレイを含む下部表示板３３０、これに対向する上部表示板３１０、上部及び下部表示板３１０、３３０の二つの表示板の間に介在する第１液晶層３２０、及び二つの表示板３１０、３３０の外側面に配置される第１偏光フィルム２２０と第２偏光フィルム２１０を含む。第１偏光フィルム２２０及び第２偏光フィルム２１０は表示パネル３００の構成要素として説明し得るが、必要によっては表示パネル３００に付加された構成要素として説明することもある。
【００３０】
表示パネル３００は、映像の基本単位になる画素（図５のＰＸ参照）を含み、各画素は、薄膜トランジスタのようなスイッチング素子（図示せず）によって制御される。各画素は互いに対向する２つの電極を含み、二つの電極の間に印加される電界によって第１液晶層３２０が動く。このような第１液晶層３２０の動きによって表示パネル３００を透過する光の量が調節される。
【００３１】
表示パネル３００は、第１及び第２偏光フィルム２２０、２１０の２枚の偏光フィルムを含む。第１偏光フィルム２２０は、下部表示板３３０とバックライトユニット４００との間に介在し、第２偏光フィルム２１０は上部表示板３１０と後述する偏光パネル１００との間に介在する。
【００３２】
バックライトユニット４００を通じて提供される光は第１偏光フィルム２２０を通過して一定の偏光方向を有する偏光に変換される。偏光は線偏光であり得る。このような偏光は第１液晶層３２０を通過しながら偏光方向が変わるようになり、また第２偏光フィルム２１０を通過しながら映像を表示する。
【００３３】
表示パネル３００は、両面に第１偏光フィルム２２０及び第２偏光フィルム２１０が配置されることによって第１液晶層３２０の液晶分子の方向を変更させて所望する階調の映像を表示することができる。
【００３４】
偏光パネル１００は、表示パネル３００の上部に配置され、表示パネル３００から提供される左眼映像及び右眼映像の偏光方向を変える役割を果たす。偏光パネル１００は、第１スイッチング基板１３０、第２スイッチング基板１１０、及び２つの基板の間に介在する第２液晶層１２０を含む。
【００３５】
表示パネル３００から出射される映像は一定の方向に偏光されている。このような表示パネル３００から出射される映像は偏光パネル１００に提供される。このとき、偏光パネル１００は映像の偏光方向を変える役割を果たす。このような方法で偏光パネル１００から出射される映像は左眼映像と右眼映像に分離され、左眼映像と右眼映像は互いに異なる偏光方向を有する。
【００３６】
左眼映像及び右眼映像が互いに異なる偏光方向を有することによって、偏光メガネ（図３の１０参照）を使用する観察者は立体映像を見ることができる。映像を立体的に認識する過程については具体的に後述する。
【００３７】
第１スイッチング基板１３０及び第２スイッチング基板１１０は各々全体面に透明電極（図示せず）を含む。各透明電極に電界が印加されると透明電極の間に介在する第２液晶層１２０が動くようになる。第２液晶層１２０が動くと偏光パネル１００を通過する光の偏光方向を変更するようになる。このような偏光パネル１００は、映像信号の毎フレームごとにスイッチング動作をして映像の偏光方向を変更することができる。
【００３８】
図２を参照して、光が表示パネル３００及び偏光パネル１００を通過して偏光方向が変化する過程を説明する。
【００３９】
図２に示す矢印は各構成要素で透過させることができる偏光方向を示す。但し、図２に示す偏光方向は例示的なものに過ぎず、これと異なる方向の偏光軸を有することができ、表示パネル３００及び偏光パネル１００は透過させることができる光の偏光方向が可変され得る。
【００４０】
第１偏光フィルム２２０に入射する光としては偏光されていない自然光が入射することができる。このような自然光は第１偏光フィルム２２０を通過しながら一方向に偏光された光になる。
【００４１】
一方、第２偏光フィルム２１０は、第１偏光フィルム２２０と偏光軸が直交するように配置されている。従って、原則的に第２偏光フィルム２１０を通過した光は第２偏光フィルム２１０を通過することができないが、表示パネル３００の第１液晶層３２０は、光の偏光方向を変更するため、第１偏光フィルム２２０を通過した光の偏光方向を第２偏光フィルム２１０の偏光方向と同一に変更することができる。このように第１液晶層３２０が光の偏光方向を第２偏光フィルム２１０の偏光軸に合うように調節することによって光の透過率を調節する。
【００４２】
第２偏光フィルム２１０を通過した光は、第２偏光フィルム２１０の偏光軸と同一の偏光方向を有する。第２偏光フィルム２１０を通過した光は偏光パネル１００によって偏光方向が再び調節され得る。
【００４３】
以下、図３及び図４を参照して本発明の一実施形態による表示装置による立体映像を認識する過程について説明する。図３及び図４は、図１に示す表示装置によって立体映像を認識する過程を説明するための概略斜視図である。
【００４４】
先ず、図３を参照して右眼映像が認識される過程を説明する。
【００４５】
右眼映像とは、右側目で認識される映像をいい、左眼映像は左側目で認識される映像をいう。立体映像を感じるためには右眼と左眼が互いに異なる映像を認識しなければならないため表示装置は右眼映像と左眼映像を適切に表示しなければならない。
【００４６】
表示パネル３００に右眼映像が表示されると、右眼映像は偏光パネル１００に入射する。偏光パネル１００に入射した右眼映像は、第１スイッチング基板１３０、第２液晶層１２０、及び第２スイッチング基板１１０を通過して偏光メガネ１０に到達する。具体的に説明すると、表示パネル３００に表示される右眼映像は第２偏光フィルム２１０を通過した映像であって所定の方向に偏光されて表示される。このように所定の方向に偏光された右眼映像は第１スイッチング基板１３０に入射する。このとき第１スイッチング基板１３０は透明電極を含む透明基板であって偏光された右眼映像は第１スイッチング基板１３０をそのまま透過する。
【００４７】
第１スイッチング基板１３０を透過した右眼映像は第２液晶層１２０を通過する。例えば、第２液晶層１２０は、液晶分子の初期配向を第１スイッチング基板１３０及び第２スイッチング基板１１０に垂直配列することができる。このように液晶分子の初期配向が垂直配向されている第２液晶層１２０の場合、第２液晶層１２０に電界が印加されなければ液晶分子は第１スイッチング基板１３０及び第２スイッチング基板１１０に垂直配列される。液晶分子が第１スイッチング基板１３０及び第２スイッチング基板１１０に垂直配列されると、第２液晶層１２０を通過する光の位相は変化せずにそのまま通過する。従って、第２液晶層１２０を通過する右眼映像は第２偏光フィルム２１０と同一の偏光軸を有する。
【００４８】
一方、第２液晶層１２０を通過した右眼映像は、第２スイッチング基板１１０を通過する。第２スイッチング基板１１０は、第１スイッチング基板１３０と同様に透明電極を含む透明基板であって偏光機能を含まなくてよい。
【００４９】
結果的に、第２偏光フィルム２１０を通過した右眼映像は、偏光方向の変化なしに偏光パネル１００をそのまま通過するようになり、第２偏光フィルム２１０の偏光軸と同じ方向に偏光された右眼映像は観察者の偏光メガネ１０に到達する。
【００５０】
このとき、観察者の偏光メガネ１０は第１偏光レンズ１１と第２偏光レンズ１２を含む。第１偏光レンズ１１と第２偏光レンズ１２は、各々偏光機能を有する偏光レンズで形成することができ、第１偏光レンズ１１と第２偏光レンズ１２は、偏光軸が互いに異なるように配置することができる。このとき、第１偏光レンズ１１と第２偏光レンズ１２は偏光効率を上げるために偏光軸が互いに直交するように配置することができる。
【００５１】
偏光メガネ１０の右側レンズを第１偏光レンズ１１とし、左側レンズを第２偏光レンズ１２とすると、第１偏光レンズ１１の偏光軸は、第２スイッチング基板１１０を通過して出た右眼映像の偏光方向と同一に形成する。従って、第２スイッチング基板１１０を通過した右眼映像は第１偏光レンズ１１を通過して観察者の右眼に到達する。これに対し、第２偏光レンズ１２の偏光軸と右眼映像の偏光軸は互いに異なるため右眼映像が第２偏光レンズ１２を通過することができない。
【００５２】
結局、観察者は右眼映像を、第１偏光レンズ１１を通して右眼でのみ観察することができ、左眼は右眼映像を観察することができない。
【００５３】
次に、図４を参照して左眼映像が認識される過程を説明する。
【００５４】
表示パネル３００に左眼映像が表示されると、左眼映像が偏光パネル１００に入射する。偏光パネル１００に入射した左眼映像は、第１スイッチング基板１３０、第２液晶層１２０、及び第２スイッチング基板１１０を通過して偏光メガネ１０に到達する。具体的に説明すると、表示パネル３００に表示される左眼映像は第２偏光フィルム２１０を通過した映像であって所定の方向に偏光されて表示される。このように所定の方向に偏光された左眼映像は、第１スイッチング基板１３０に入射する。このとき、第１スイッチング基板１３０は、透明電極を含む透明基板であって偏光された左眼映像は第１スイッチング基板１３０をそのまま透過する。
【００５５】
第１スイッチング基板１３０を透過した左眼映像は第２液晶層１２０を通過する。上述したように第２液晶層１２０は液晶分子の初期配向を第１スイッチング基板１３０及び第２スイッチング基板１１０に垂直配列することができる。このように液晶分子の初期配向が垂直配向されている第２液晶層１２０の場合、第２液晶層１２０に電界が印加されると、液晶分子は第１スイッチング基板１３０及び第２スイッチング基板１１０に水平配列される。液晶分子が第１スイッチング基板１３０及び第２スイッチング基板１１０に水平配列されると、第２液晶層１２０を通過する光の液晶分子によって位相差が生じて偏光軸の方向が変わるようになる。図４に示すように第２液晶層１２０を通過する左眼映像は偏光軸の方向が９０°だけ回転して第２スイッチング基板１１０に入射することができる。即ち、第２液晶層１２０を通過する左眼映像の偏光軸は第２偏光フィルム２１０の偏光軸と９０°だけ差が生じる。
【００５６】
一方、第２液晶層１２０を通過した左眼映像は第２スイッチング基板１１０を通過する。第２スイッチング基板１１０は、第１スイッチング基板１３０と同様に透明電極を含む透明基板であって上述したように偏光機能を含まなくて良い。
【００５７】
結果的に、第２偏光フィルム２１０を通過した左眼映像は偏光方向が９０°だけ変化して偏光パネル１００を通過する。第２偏光フィルム２１０の偏光軸から９０°だけ回転した方向に偏光された左眼映像は観察者の偏光メガネ１０に到達する。
【００５８】
上述したように、偏光メガネ１０は、第１偏光レンズ１１と第２偏光レンズ１２を含み、第１偏光レンズ１１と第２偏光レンズ１２は互いに直交するよう配置されている。従って、第２スイッチング基板１１０を通過した左眼映像の偏光軸は第１偏光レンズ１１の偏光軸とは一致せず、第２偏光レンズ１２の偏光軸と一致する。
【００５９】
結局、観察者は左眼映像を、第２偏光レンズ１２により左眼でのみ観察することができ、右眼は左眼映像を観察することができない。このような方法で観察者は左眼で左眼映像のみを観察することができ、右眼で右眼映像のみを観察することができ、観察者は両眼により立体映像を認識するようになる。
【００６０】
以下、図５〜図７を参照して表示装置の駆動に関して詳細に説明する。ここで、図５は、図１に示す表示装置の駆動を説明するための概略ブロック図である。図６は、図１に示す表示装置に印加される映像信号のブロック図である。図７は、図１に示す表示装置に印加される信号の信号波形図である。
【００６１】
先ず、図５を参照すると、本発明の一実施形態による表示装置１は、表示パネル３００、タイミングコントローラ６００、ゲート駆動部５００、及びデータ駆動部８００を含む。表示パネル３００は映像が表示される表示部（ＤＡ）と映像が表示されない非表示部（ＰＡ）に区分される。
【００６２】
表示部（ＤＡ）は複数のゲート線（Ｇ１〜Ｇｎ）、複数のデータ線（Ｄ１〜Ｄｍ）、スイッチング素子（図示せず）、及び画素電極（図示せず）が形成された下部表示板（図１に示す３３０参照）と、カラーフィルタ（図示せず）と共通電極（図示せず）が形成された上部表示板（図１に示す３１０参照）、上部表示板と下部表示板との間に介在する第１液晶層（図１に示す３２０参照）を含み映像を表示する。ゲート線（Ｇ１〜Ｇｎ）は略行方向に延長されて互いにほぼ平行であり、データ線（Ｄ１〜Ｄｍ）は略列方向に延長されて互いにほぼ平行である。
【００６３】
非表示部（ＰＡ）は、下部表示板（図１の３３０参照）が上部表示板（図１の３１０参照）より更に広く形成されて映像が表示されない部分を意味する。
【００６４】
タイミングコントローラ６００は、外部のグラフィック制御器（図示せず）から入力映像信号（Ｒ、Ｇ、Ｂ）及びこの表示を制御する入力制御信号を受信して映像信号（ＤＡＴ）、データ制御信号（ＣＯＮＴ）をデータ駆動部８００に提供する。更に具体的に説明すると、タイミングコントローラ６００は、水平同期信号（Ｈｓｙｎｃ）、メインクロック信号（Ｍｃｌｋ）、データイネーブル信号（ＤＥ）などの入力制御信号の入力を受けてデータ制御信号（ＣＯＮＴ）を出力する。ここで、データ制御信号（ＣＯＮＴ）は、データ駆動部８００の動作を制御する信号であって、データ駆動部８００の動作を開始する水平開始信号、２つのデータ電圧の出力を指示するロード信号（ＴＰ）などを含む。
【００６５】
これによって、データ駆動部８００は、映像信号（ＤＡＴ）、データ制御信号（ＣＯＮＴ）の提供を受けて映像信号（ＤＡＴ）に対応する映像データ電圧を各データ線（Ｄ１〜Ｄｍ）に提供する。データ駆動部８００は、ＩＣとしてテープキャリアパッケージ（Ｔａｐｅ  Ｃａｒｒｉｅｒ  Ｐａｃｋａｇｅ：ＴＣＰ）の形態で表示パネル３００と接続することができ、これに限定されず、表示パネル３００の非表示部（ＰＡ）の上に形成することもできる。
【００６６】
映像データ電圧は、左眼映像にデータと右眼映像に対するデータをすべて含むことができ、左眼映像データ電圧と右眼映像データ電圧は各データ線（Ｄ１〜Ｄｍ）に交互に印加され得る。映像データ電圧については具体的に後述する。
【００６７】
またタイミングコントローラ６００は、外部のグラフィック制御器（図示せず）から垂直同期信号（Ｖｓｉｎｃ）及びメインクロック信号（Ｍｃｌｋ）の提供を受けて、クロック信号（ＣＫＶ）、クロックバー信号（ＣＫＶＢ）、及びゲートオフ電圧（Ｖｏｆｆ）をゲート駆動部５００に提供する。更に具体的に説明すると、タイミングコントローラ６００が開始信号（ＳＴＶ）、第１クロック生成制御信号（ＯＥ）、及び第２クロック生成制御信号（ＣＰＶ）をクロック生成部７００に提供し、クロック生成部７００は、クロック信号（ＣＫＶ１、ＣＫＶ２）及びクロックバー信号（ＣＫＶＢ１、ＣＫＶＢ２）を出力する。ここでクロック信号（ＣＫＶ１、ＣＫＶ２）はクロックバー信号（ＣＫＶＢ１、ＣＫＶＢ２）とハイレベル区間が重ならない信号である。
【００６８】
ゲート駆動部５００は、開始信号（ＳＴＶ）によりイネーブルされてクロック信号（ＣＫＶ１、ＣＫＶ２）、クロックバー信号（ＣＫＶＢ１、ＣＫＶＢ２）、及びゲートオフ電圧（Ｖｏｆｆ）を利用して複数のゲート信号を生成し、各ゲート線（Ｇ１〜Ｇｎ）に各ゲート信号を順次に提供する。
【００６９】
次に、図５〜図７を参照して各画素（ＰＸ）に印加される映像データ電圧について具体的に説明する。
【００７０】
表示パネル３００は、各画素（ＰＸ）に印加される映像データ電圧（Ｄａｔａ）によって全体的な映像を表示する。各画素（ＰＸ）に印加される映像データ電圧（Ｄａｔａ）は各画素（ＰＸ）の映像データを含む。
【００７１】
表示パネル３００に表示される映像は、ブラック映像（ＩＢ）を含む左眼映像及び右眼映像を順次に表示する。立体映像を表示するためには観察者の左眼位置で撮影した左眼映像と右眼位置で撮影した右眼映像が必要である。左眼映像と右眼映像は上述したように観察者の左眼と右眼を通して各々観察されなければならない。
【００７２】
一つの表示パネル３００を利用して左眼映像及び右眼映像をすべて表現するためには、上述したように表示パネル３００の上に左眼映像及び右眼映像を順次に表示して偏光パネル１００を利用して左眼映像及び右眼映像の偏光方向を調節することができる。左眼映像は、視認可能な映像になる左眼表示映像（ＩＬ）と左眼表示映像（ＩＬ）の次に続くブラック映像（ＩＢ）を含み、右眼映像は視認可能な映像になる右眼表示映像（ＩＲ）と右眼表示映像（ＩＲ）の次に続くブラック映像（ＩＢ）を含む。
【００７３】
このとき、左眼映像と右眼映像が瞬間的に分離されず、左眼映像が右眼で観察されたり右眼映像が左眼で観察されたりすることを防止するために、左眼表示映像（ＩＬ）及び右眼表示映像（ＩＲ）の間にブラック映像（ＩＢ）を挿入することができる。例えば、一つのフレーム内に左眼表示映像（ＩＬ）とブラック映像（ＩＢ）をすべて含み、次のフレームに右眼表示映像（ＩＲ）とブラック映像（ＩＢ）をすべて含み得る。
【００７４】
図６に示すように、映像信号は、右眼表示映像（ＩＲ）、ブラック映像（ＩＢ）、左眼表示映像（ＩＬ）、ブラック映像（ＩＢ）、再び右眼表示映像（ＩＲ）などの順に変わり、表示パネル３００に映像データ電圧として印加され得る。ここで、右眼表示映像（ＩＲ）及び左眼表示映像（ＩＬ）は各々一フレームの一部分となり得、右眼表示映像（ＩＲ）及びブラック映像（ＩＢ）が一つのフレームを形成し、左眼表示映像（ＩＬ）及びブラック映像（ＩＢ）が一つのフレームを形成することができる。即ち、右眼表示映像（ＩＲ）、左眼表示映像（ＩＬ）、及びブラック映像（ＩＢ）は各映像が一つの画面全体に表示されないこともあり、一画面のうち一部は右眼表示映像（ＩＲ）及び左眼表示映像（ＩＬ）のうちの少なくとも一つが表示され、ブラック映像（ＩＢ）を帯形態で画面の一部に表示することができる。また、右眼表示映像（ＩＲ）、左眼表示映像（ＩＬ）、及びブラック映像（ＩＢ）を画面の一部分に共に表示することができる。
【００７５】
図５及び図７を参照して映像データ電圧の充電過程について説明する。表示パネル３００の一画素（ＰＸ）は、一フレームのあいだ視認可能な映像データ電圧が充電される表示区間（Ｐ１）とブラック映像データ電圧が充電される非表示区間（Ｐ２）をすべて含む。表示区間（Ｐ１）及び非表示区間（Ｐ２）は、次の映像信号が入力される前まで各区間のあいだ同一の電圧を維持する。
【００７６】
各信号により一画素（ＰＸ）に充電される画素電圧（ＰＸ＿Ｖ１、ＰＸ＿Ｖ２）に対して具体的に説明する。ゲート駆動部５００は、開始信号（ＳＴＶ）により各ゲート線（Ｇ１〜Ｇｎ）にゲート信号（Ｇｏｕｔ１〜Ｇｏｕｔ（ｎ））を印加する。ゲート信号（Ｇｏｕｔ１〜Ｇｏｕｔ（ｎ））は各画素（ＰＸ）の薄膜トランジスタをスイッチングする。
【００７７】
一方、ロード信号（ＴＰ）は映像データ電圧（Ｄａｔａ）の電圧レベルを制御する。ロード信号（ＴＰ）は一周期（１Ｈ）のあいだ映像充電区間（Ｔ１）とブラック映像充電区間（Ｔ２）を含むことができる。
【００７８】
ロード信号（ＴＰ）がローレベルである区間では、左眼表示映像（ＩＬ）又は右眼表示映像（ＩＲ）に対する映像データ電圧（Ｄａｔａ）が充電され得、この区間を映像充電区間（Ｔ１）という。また、ロード信号（ＴＰ）がハイレベルである区間ではブラック映像（ＩＢ）に対する映像データ電圧（Ｄａｔａ）が充電され得、この区間をブラック映像充電区間（Ｔ２）という。但し、ブラック映像データ電圧（Ｄａｔａ）は、実際に電圧が印加されないフローティング（ｆｌｏａｔｉｎｇ）区間であり得る。
【００７９】
それぞれの画素は一フレーム内に一つの映像充電区間（Ｔ１）と一つのブラック映像充電区間（Ｔ２）を含み得る。一フレーム内にある映像充電区間（Ｔ１）とブラック映像充電区間（Ｔ２）は互いに隣接しておらず、表示区間（Ｐ１）で映像充電区間（Ｔ１）を除いた時間だけ互いに離隔することができる。画素のゲート信号は、各画素（ＰＸ）を制御するスイッチング素子（図示せず）を制御し、各画素（ＰＸ）に接続されたスイッチング素子は一フレーム内に２回スイッチング動作することができる。
【００８０】
ロード信号（ＴＰ）の一周期（１Ｈ）内で映像充電区間（Ｔ１）とブラック映像充電区間（Ｔ２）の比は調節することができる。例えば、映像充電区間（Ｔ１）とブラック映像充電区間（Ｔ２）のあいだ画素（ＰＸ）に各データ電圧が充電される時間を考慮して映像充電区間（Ｔ１）とブラック映像充電区間（Ｔ２）の比を調節することができる。
【００８１】
ロード信号（ＴＰ）がローレベルに遷移すると映像充電区間（Ｔ１）が始まり、映像データ電圧（Ｄａｔａ）が画素（ＰＸ）に充電される。
【００８２】
ロード信号（ＴＰ）が再びハイレベルに遷移すると映像充電区間（Ｔ１）が終わり、映像データ電圧（Ｄａｔａ）はこれ以上充電されない。各画素（ＰＸ）は、映像データ電圧（Ｄａｔａ）と同じレベルで充電され、表示区間（Ｐ１）のあいだ同一レベルに維持される。このように各画素（ＰＸ）に充電された画素電圧（ＰＸ＿Ｖ１、ＰＸ＿Ｖ２）は、映像データ電圧（Ｄａｔａ）が充電された表示区間（Ｐ１）とブラック映像データ電圧（Ｄａｔａ）が充電された非表示区間（Ｐ２）が反復的に表れる。このとき、表示区間（Ｐ１）は非表示区間（Ｐ２）が始まるときまで映像データ電圧（Ｄａｔａ）と同一に維持される。
【００８３】
表示区間（Ｐ１）が終わる時点で、ロード信号（ＴＰ）は、再びハイレベルに遷移する。ロード信号（ＴＰ）がハイレベルに遷移すると、ブラック映像充電区間（Ｔ２）が始まる。
【００８４】
ロード信号（ＴＰ）がハイレベルに遷移することによって、画素（ＰＸ）にはブラック映像データ電圧（Ｄａｔａ）が充電される。このとき、画素（ＰＸ）に充電されたブラック映像データ電圧（Ｄａｔａ）は非表示区間（Ｐ２）のあいだ同一の電圧に維持される。即ち、非表示区間（Ｐ２）は次のフレームの表示区間（Ｐ１）が始まるときまでブラック映像データ電圧（Ｄａｔａ）と同一の電圧が維持される。
【００８５】
一フレーム内の表示区間（Ｐ１）及び非表示区間（Ｐ２）の比は必要によって調節可能である。例えば、表示装置１の輝度が充分に維持できる場合、表示区間（Ｐ１）を減らして非表示区間（Ｐ２）を増やすことができる。これに対し、表示パネル３００を複数のセグメント（ｓｅｇｍｅｎｔ）で分割する場合にはセグメントの数により非表示区間（Ｐ２）の長さを減らすことができる。
【００８６】
一方、ロード信号（ＴＰ）の映像充電区間（Ｔ１）で映像データ電圧（Ｄａｔａ）は、左眼表示映像（ＩＬ）及び右眼表示映像（ＩＲ）を表示するための電圧レベルを有しており、ロード信号（ＴＰ）のブラック映像充電区間（Ｔ２）で映像データ電圧（Ｄａｔａ）はブラック映像（ＩＢ）を表わすための電圧レベルを有している。例えば、液晶分子（図示せず）に電界が印加されない状態でブラック映像を表示するノーマリーブラックモード（ｎｏｒｍａｌｌｙ  ｂｌａｃｋ  ｍｏｄｅ）ではブラック映像を表示するための電圧レベルを基準電圧とすることができる。このとき、映像を表示するための電圧レベルは基準電圧より高いレベルにすることもでき、次のゲート線で映像を表示するための電圧レベルは基準電圧より低い電圧とすることもできる。即ち、ブラック映像を表示するための電圧レベルを基準として電圧レベルがスイングする反転駆動がなされ得る。
【００８７】
各ゲート線（Ｇ１〜Ｇｎ）には開始信号（ＳＴＶ）により順次にゲート信号（Ｇｏｕｔ１〜Ｇｏｕｔ（ｎ））が印加される。例えば、ロード信号（ＴＰ）の映像充電区間（Ｔ１）に合わせて第１ゲート信号（Ｇｏｕｔ１）がハイレベルに遷移し、続くブラック映像の充電区間（Ｔ２）に合わせて第１ゲート信号（Ｇｏｕｔ１）はローレベルに遷移する。続いて、次の映像充電区間（Ｔ１）に合わせて第２ゲート信号（Ｇｏｕｔ２）がハイレベルに遷移して続くブラック映像充電区間（Ｔ２）に合わせて第２ゲート信号（Ｇｏｕｔ２）はローレベルに遷移する。このような方式で最後のゲート線（Ｇｎ）まで順次に信号が印加される。
【００８８】
第１ゲート信号（Ｇｏｕｔ１）の映像充電区間（Ｔ１）と第２ゲート信号（Ｇｏｕｔ２）の映像充電区間（Ｔ１）との間のブラック映像充電区間（Ｔ２）には第ｊゲート信号（Ｇｏｕｔ（ｊ））のブラック映像データが充電され得、第２ゲート信号（Ｇｏｕｔ２）の映像充電区間（Ｔ１）の次のブラック映像充電区間（Ｔ２）には第ｊ＋１ゲート信号（Ｇｏｕｔ（ｊ＋１））のブラック映像データが充電され得る。
【００８９】
一方、表示区間（Ｐ１）と非表示区間（Ｐ２）の比率を必要により調節することができる。表示区間（Ｐ１）を増加させると輝度が増加する長所があるが、左眼表示映像（ＩＬ）及び右眼表示映像（ＩＲ）が混合されて左眼及び右眼に同時に観察される。また、非表示区間（Ｐ２）を増加させると、左眼表示映像（ＩＬ）及び右眼表示映像（ＩＲ）が明確に分離される長所があるが、全体的な輝度が減少し得るため、表示区間（Ｐ１）及び非表示区間（Ｐ２）の長さは必要によって可変して調節することができる。
【００９０】
表示パネル３００の画素には秒当たり６０〜１２０個のフレームの映像信号が印加され得る。
【００９１】
映像データ電圧はフレームごとに反転した電圧が印加され得る。
【００９２】
以下、図８〜図１２を参照して本発明の他の実施形態による表示装置について説明する。図８は、本発明の他の実施形態による表示装置に含まれる偏光パネルの斜視図であり、図９〜図１２は、図８に示す偏光パネルに対応して表示パネルが左眼映像及び右眼映像を表示する過程を説明するための表示装置の平面図である。説明の便宜上、上述した一実施形態の図面に示す各部材と同一の機能を有する同一の部材は同一の符号で示す。従って、その説明は省略する。
【００９３】
本発明の他の実施形態による表示装置は、偏光パネル１００を複数の面に分割する複数のスイッチング面１１１、１１２、１１３、１１４を含む。偏光パネル１００は複数のスイッチング面１１１、１１２、１１３、１１４別に各々作動させることができ、左眼映像及び右眼映像の偏光方向をスイッチング面１１１、１１２、１１３、１１４別に各々調節することができる。本実施形態では、偏光パネル１００が４個のスイッチング面１１１、１１２、１１３、１１４に分割形成された表示装置の例を挙げて説明する。
【００９４】
偏光パネル１００は、４個に分割された第１〜第４スイッチング面１１１、１１２、１１３、１１４を含む。第１〜第４スイッチング面１１１、１１２、１１３、１１４は、各々独立的に作動し、第１〜第４スイッチング面１１１、１１２、１１３、１１４を通過する光は偏光方向が各々独立的に制御される。このようなスイッチング面１１１、１１２、１１３、１１４は、ゲート線に沿って形成され、データ線に沿って順次に左眼映像及び右眼映像の偏光方向を変更することができる。
【００９５】
第１〜第４スイッチング面１１１、１１２、１１３、１１４は、第１スイッチング基板１３０及び第２スイッチング基板１１０のうちの少なくとも一つの透明電極を４個に分割して形成することができ、各透明電極に各々電圧を印加して第１〜第４スイッチング面１１１、１１２、１１３、１１４を制御することができる。
【００９６】
第１〜第４スイッチング面１１１、１１２、１１３、１１４は、順次に作動して左眼映像及び右眼映像が効率的に分離できるようにする。
【００９７】
先ず、図９を参照すると、第２〜第４スイッチング面１１２、１１３、１１４と重畳する表示パネル（図１に示す３００参照）に左眼表示映像（ＩＬ）が表示されて第１スイッチング面１１１と重畳する表示パネル３００にブラック映像（ＩＢ）が表示される。このとき、偏光パネル１００の第２〜第４スイッチング面１１２、１１３、１１４は偏光軸の方向を９０°だけ回転させる。
【００９８】
具体的に説明すると、第２〜第４スイッチング面１１２、１１３、１１４と重畳する表示パネル３００に左眼表示映像（ＩＬ）が表示されると、観察者が左眼ですべての映像を観察しなければならないため、偏光パネル１００の第２〜第４スイッチング面１１２、１１３、１１４の偏光軸の方向を９０°だけ回転させて観察者が偏光メガネ１０により左眼でのみ映像を観察できるようにする。
【００９９】
このとき、第１スイッチング面１１１と重畳する表示パネル３００にはブラック映像（ＩＢ）が表示される。ブラック映像（ＩＢ）は、実質的に観察者に容認される領域ではないため、ブラック映像（ＩＢ）が表示される第１スイッチング面１１１の偏光方向はいかなる方向でも構わない。
【０１００】
次に、図１０を参照すると、ブラック映像（ＩＢ）の次に右眼表示映像（ＩＲ）が表示される。即ち、第１スイッチング面１１１と重畳する区間には新たな右眼表示映像（ＩＲ）が表示され、ブラック映像（ＩＢ）は第２スイッチング面１１２と重畳する区間に表示される。
【０１０１】
以前の段階で、第２スイッチング面１１２と重畳する表示パネル３００に表示された左眼表示映像（ＩＬ）は、ブラック映像（ＩＢ）に対するデータ電圧が画素に充電されながら消え、以前の段階で、第１スイッチング面１１１と重畳する表示パネル３００に表示されたブラック映像（ＩＢ）は、右眼表示映像（ＩＲ）に対するデータ電圧が画素に充電されながら、右眼映像に変わるようになる。
【０１０２】
このとき、第１スイッチング面１１１は右眼映像のみが透過できるように偏光パネル１００の透過軸を再び９０°だけ回転させる。従って、観察者は右眼により第１スイッチング面１１１で右眼表示映像（ＩＲ）を観察することができ、左眼により第１スイッチング面１１１を観察することができない。
【０１０３】
一方、第２スイッチング面１１２は、ブラック映像が表示される区間であるため、偏光軸の方向と関係なく左眼及び右眼によりブラック映像のみを観察することができる。このようなブラック映像は実質的に画素を観察できないことと同様である。
【０１０４】
第３スイッチング面１１３及び第４スイッチング面１１４と重畳する表示パネル３００は左眼表示映像（ＩＬ）を表示するため、第３スイッチング面１１３及び第４スイッチング面１１３、１１４は観察者が左眼表示映像（ＩＬ）を観察できるように偏光軸を調節する。
【０１０５】
次に、図１１を参照すると、第１スイッチング面１１１及び第２スイッチング面１１２と重畳する表示パネル（図１に示す３００参照）の領域に右眼表示映像（ＩＲ）が表示され、第３スイッチング面１１３と重畳する表示パネル３００の領域にブラック映像が表示されて第４スイッチング面１１４と重畳する表示パネル３００の領域に左眼表示映像（ＩＬ）が表示される。
【０１０６】
このとき、第１スイッチング面１１１及び第２スイッチング面１１２は、観察者が右眼表示映像（ＩＲ）を観察できるように偏光軸を調節し、第４スイッチング面１１４は観察者が左眼表示映像（ＩＬ）を観察できるように偏光軸を調節する。一方、第３スイッチング面１１３は、ブラック映像（ＩＢ）を表示するため偏光パネル１００の偏光方向と関係なくブラック映像（ＩＢ）が表示される。
【０１０７】
次に、図１２を参照すると、第１〜第３スイッチング面１１３と重畳する表示パネル（図１に示す３００参照）の領域に右眼表示映像（ＩＲ）が表示され、第４スイッチング面１１４と重畳する表示パネル３００の領域にブラック映像が表示される。
【０１０８】
このとき、第１〜第３スイッチング面１１３は、観察者が右眼映像を観察できるように偏光軸を調節しなければならず、第４スイッチング面１１４はブラック映像（ＩＢ）を表示するため、偏光パネル１００の偏光方向と関係なくブラック映像（ＩＢ）が表示される。
【０１０９】
再び、図９〜図１２を参照すると、偏光パネル１００が第１〜第４スイッチング面１１１、１１２、１１３、１１４に分割された場合、表示区間（図７のＰ１参照）と非表示区間（図７のＰ２参照）の比は３：１になる。従って、ブラック映像（ＩＢ）を示す区間は一フレームの１／４に過ぎず、表示パネル３００の１／４領域にのみブラック映像（ＩＢ）が表示される。表示パネル３００の残り３／４領域には右眼表示映像（ＩＲ）及び左眼表示映像（ＩＬ）が表示される。表示パネル３００上には左眼表示映像（ＩＬ）及び右眼表示映像（ＩＲ）を示す領域とブラック映像（ＩＢ）を示す領域の比が常に３：１を維持することができる。このような実施形態は、偏光パネル１００を４個に分割した場合を説明したものであって、偏光パネル１００を更に多い区間に分割する場合、ブラック映像（ＩＢ）の区間を更に小さくすることもできる。例えば、偏光パネル１００のスイッチング面の数をｎ個に分割する場合、一フレーム内の表示区間（Ｐ１）と非表示区間（Ｐ２）の比をｎ−１：１に維持することができる。
【０１１０】
図１３を参照して本発明のまた他の実施形態による表示装置の駆動について詳細に説明する。図１３は、本発明のまた他の表示装置に印加される信号の信号波形図である。
【０１１１】
本発明のまた他の実施形態による表示装置は、映像データ電圧を充電する区間とブラック映像データ電圧を充電する区間の開始時点を各々制御する。
【０１１２】
第１ロード信号（ＴＰ１）及び第２ロード信号（ＴＰ２）は、同一の周期（１Ｈ）で短いパルス信号を印加する。第１ロード信号（ＴＰ１）は映像充電区間（Ｔ１）を開始する役割を果たし、第２ロード信号（ＴＰ２）はブラック映像充電区間（Ｔ２）を開始する役割を果たす。
【０１１３】
一つのゲート信号は、一フレーム内に一つの映像充電区間（Ｔ１）と一つのブラック映像充電区間（Ｔ２）を含み得る。一フレーム内にある映像充電区間（Ｔ１）とブラック映像充電区間（Ｔ２）は互いに隣接しておらず、表示区間（Ｐ１）で映像充電区間（Ｔ１）を除いた時間だけ互いに離隔することができる。
【０１１４】
第１ロード信号（ＴＰ１）と第２ロード信号（ＴＰ２）の信号印加時点を調節して映像充電区間（Ｔ１）とブラック映像充電区間（Ｔ２）の比を調節することができる。
【０１１５】
第１ロード信号（ＴＰ１）が入力されると映像充電区間（Ｔ１）が始まる。即ち、第１ロード信号（ＴＰ１）が入力されると映像充電区間（Ｔ１）が始まり、画素（ＰＸ）には映像データ電圧（Ｄａｔａ）が充電される。
【０１１６】
第２ロード信号（ＴＰ２）が入力されると映像充電区間（Ｔ１）が終わり、映像データ電圧（Ｄａｔａ）はこれ以上充電されない。各画素（ＰＸ）は、表示映像データ電圧と同じレベルで充電されて表示区間（Ｐ１）のあいだ同一レベルに維持される。このように各画素（ＰＸ）に充電された画素電圧（ＰＸ＿Ｖ１、ＰＸ＿Ｖ２）は、表示映像データ電圧が充電された表示区間（Ｐ１）とブラック映像データ電圧が充電された非表示区間（Ｐ２）が反復的に表れる。このとき、表示区間（Ｐ１）は、非表示区間（Ｐ２）が始まるときまで表示映像データ電圧と同一に維持される。
【０１１７】
第１ゲート信号（Ｇｏｕｔ１）がハイレベルで遷移することによって画素（ＰＸ）にはブラック映像データ電圧が充電される。このとき、画素（ＰＸ）に充電されたブラック映像データ電圧は非表示区間（Ｐ２）のあいだ同一の電圧に維持される。即ち、非表示区間（Ｐ２）は次のフレームの表示区間（Ｐ１）が始まるときまでブラック映像データ電圧と同一の電圧が維持される。
【０１１８】
一フレーム内の表示区間（Ｐ１）及び非表示区間（Ｐ２）の比は必要によって調節することができる。
【０１１９】
表示映像データ電圧を充電する時点を第１ロード信号（ＴＰ１）と第２ロード信号（ＴＰ２）に分離して表示映像とブラック映像を各々独立的に充電することによって映像充電区間（Ｔ１）とブラック映像充電区間（Ｔ２）を調節することができる。
【０１２０】
以上、図面を参照しながら本発明の実施形態について説明したが、本発明は、上述の実施形態に限定されるものではなく、本発明の技術的範囲から逸脱しない範囲内で多様に変更実施することが可能である。
【産業上の利用可能性】
【０１２１】
本発明は、鮮明な立体映像を表示できる表示装置を提供することができ、映画産業、医療産業、娯楽産業など立体映像を必要とする産業のすべての分野において有用であろう。
【符号の説明】
【０１２２】
１    表示装置
１０    偏光メガネ
１１    第１偏光レンズ
１２    第２偏光レンズ
１００    偏光パネル
１１０    第２スイッチング基板
１１１、１１２、１１３、１１４、    スイッチング面
１２０    第２液晶層
１３０    第１スイッチング基板
２１０    第２偏光フィルム
２２０    第１偏光フィルム
３００    表示パネル
３１０    上部表示板
３２０    第１液晶層
３３０    下部表示板
４００    バックライトユニット
５００    ゲート駆動部
６００    タイミングコントローラ
７００    クロック生成部
８００    データ駆動部
【図１】
2010049256.tif 000003
【図２】
2010049256.tif 000004
【図３】
2010049256.tif 000005
【図４】
2010049256.tif 000006
【図５】
2010049256.tif 000007
【図６】
2010049256.tif 000008
【図７】
2010049256.tif 000009
【図８】
2010049256.tif 000010
【図９】
2010049256.tif 000011
【図１０】
2010049256.tif 000012
【図１１】
2010049256.tif 000013
【図１２】
2010049256.tif 000014
【図１３】
2010049256.tif 000015